(57)【要約】【課題】電線の位置決め及び接続が容易で信頼性を向上することができる電線接続工具及び電線接続方法を提供する。【解決手段】  コネクタ１０が配置されるコネクタ配置部７と、前記コネクタ配置部７に対して進退動作する押圧部３とを備える電線接続工具１であって、前記押圧部３は、コネクタ配置部７に対して進退動作するパンチ部（パンチ部材３２）と、前記押圧部３の進退動作の方向に突没可能で電線の位置決めを行う電線ガイド部（電線ガイド部材３４）とを具備する。【選択図】図２
2020042937.tif 000002
【特許請求の範囲】
【請求項１】
コネクタが配置されるコネクタ配置部と、前記コネクタ配置部に対して進退動作する押圧部とを備える電線接続工具であって、
前記押圧部は、コネクタ配置部に対して進退動作するパンチ部と、
前記押圧部の進退動作の方向に突没可能で電線の位置決めを行う電線ガイド部と、
を具備することを特徴とする電線接続工具。
【請求項２】
前記電線ガイド部は、前記コネクタ配置部に配置されるコネクタに電線を案内する案内部及び前記電線の先端部が当接されて前記電線の案内を停止させるストッパ部を具備することを特徴とする請求項１に記載の電線接続工具。
【請求項３】
前記コネクタ配置部の電線の導入口側には、電線の位置を設定し保持する電線位置設定部が設けられていることを特徴とする請求項１又は請求項２に記載の電線接続工具。
【請求項４】
前記電線位置設定部には、幅寸法が複数段に変化するスリットが形成されていることを特徴とする請求項３に記載の電線接続工具。
【請求項５】
前記電線ガイド部は、弾性体により弾性力が付与されて突没可能となっていることを特徴とする請求項１乃至請求項４のいずれか一項に記載の電線接続工具。
【請求項６】
前記コネクタ配置部には、複数の端子を有するコネクタが配置されることを特徴とする請求項１乃至請求項５のいずれか一項に記載の電線接続工具。
【請求項７】
請求項１乃至請求項６のいずれか一項に記載の電線接続工具であって、手動で操作できる操作ハンドルを備えていることを特徴とする電線接続工具。
【請求項８】
コネクタが配置されるコネクタ配置部と、前記コネクタ配置部に対して進退動作する押圧部とを備え、前記押圧部は、コネクタ配置部に対して進退動作するパンチ部と、前記押圧部の進退動作の方向に突没可能で電線の位置決めを行う電線ガイド部とを具備する電線接続工具を用いる電線接続方法であって、
前記コネクタ配置部にコネクタを配置するコネクタセット工程と、
前記コネクタに対し電線を位置決めする電線位置決め工程と、
前記コネクタの端子に電線を接続する電線接続工程と、
を有することを特徴とする電線接続方法。
【発明の詳細な説明】
【技術分野】
【０００１】
本発明は、電線接続工具及び電線接続方法に関する。
【背景技術】
【０００２】
従来、例えば、コネクタに絶縁被覆電線を圧接や圧着によって接続する場合、コネクタに配設された端子に絶縁被覆電線が確実に接続されるように、コネクタの端子と絶縁被覆電線とを位置決めする必要がある。このため、コネクタの端子と絶縁被覆電線との位置関係において、コネクタの端子と絶縁被覆電線とを確実に接続する種々の方法が考えられている。
しかしながら、コネクタに対し絶縁被覆電線を容易に位置決め及び接続する適切な構成は提案されていない。
【先行技術文献】
【特許文献】
【０００３】
【特許文献１】特開平１１−１８５９２３号公報
【特許文献２】特開２００５−８５５７６号公報
【特許文献３】実願平２−７２００９号(実開平４−３１２８８号)のマイクロフィルム
【特許文献４】実用新案登録第３１９３６９３号公報
【発明の概要】
【発明が解決しようとする課題】
【０００４】
本発明は、上記課題に鑑みなされたもので、電線の位置決め及び接続が容易で信頼性を向上することができる電線接続工具及び電線接続方法を提供することを目的とする。
【課題を解決するための手段】
【０００５】
請求項１に記載の電線接続工具は、コネクタが配置されるコネクタ配置部と、前記コネクタ配置部に対して進退動作する押圧部とを備える電線接続工具であって、前記押圧部は、コネクタ配置部に対して進退動作するパンチ部と、前記押圧部の進退動作の方向に突没可能で電線の位置決めを行う電線ガイド部と、を具備することを特徴とする。
電線接続工具は、例えば、コネクタの端子に電線を圧接や圧着して接続する場合に好適に用いることができる。
【０００６】
請求項２に記載の電線接続工具は、前記電線ガイド部は、前記コネクタ配置部に配置されるコネクタに電線を案内する案内部及び前記電線の先端部が当接されて前記電線の案内を停止させるストッパ部を具備することを特徴とする。
【０００７】
請求項３に記載の電線接続工具は、前記コネクタ配置部の電線の導入口側には、電線の位置を設定し保持する電線位置設定部が設けられていることを特徴とする。
請求項４に記載の電線接続工具は、前記電線位置設定部には、幅寸法が複数段に変化するスリットが形成されていることを特徴とする。
かかる発明によれば、線径の異なる電線に対応して、電線の位置を設定し保持することができる。
請求項５に記載の電線接続工具は、前記電線ガイド部は、弾性体により弾性力が付与されて突没可能となっていることを特徴とする。
請求項６に記載の電線接続工具は、前記コネクタ配置部には、複数の端子を有するコネクタが配置されることを特徴とする。
請求項７に記載の電線接続工具は、手動で操作できる操作ハンドルを備えていることを特徴とする。
【０００８】
請求項８に記載の電線接続方法は、コネクタが配置されるコネクタ配置部と、前記コネクタ配置部に対して進退動作する押圧部とを備え、前記押圧部は、コネクタ配置部に対して進退動作するパンチ部と、前記押圧部の進退動作の方向に突没可能で電線の位置決めを行う電線ガイド部とを具備する電線接続工具を用いる電線接続方法であって、前記コネクタ配置部にコネクタを配置するコネクタセット工程と、前記コネクタに対し電線を位置決めする電線位置決め工程と、前記コネクタの端子に電線を接続する電線接続工程と、を有することを特徴とする。
【発明の効果】
【０００９】
本発明の実施形態によれば、電線の位置決め及び接続が容易で信頼性を向上することができる電線接続工具及び電線接続方法を提供することが可能となる。
【図面の簡単な説明】
【００１０】
【図１】本発明の実施形態に係る電線接続工具を示す斜視図である。
【図２】同電線接続工具のヘッド部を示す斜視図である。
【図３】同電線接続工具のヘッド部を分解して示す斜視図である。
【図４】同電線接続工具における電線位置設定部材を示す構成図である。
【図５】図４中、Ａ部を示す拡大図である。
【図６】同電線接続工具におけるパンチ部材を示す構成図である。
【図７】同電線接続工具におけるクリンパ部材を示す構成図である。
【図８】同電線接続工具における電線ガイド部材を示す構成図である。
【図９】同電線接続工具において、パンチ部材、電線ガイド部材及びクリンパ部材が組み合わされた状態を示す正面図である。
【図１０】同電線接続工具の動作を示す側面図及び上面図である（初期状態）。
【図１１】同電線接続工具の動作を示す側面図及び上面図である（途中状態）。
【図１２】同電線接続工具の動作を示す側面図及び上面図である（終期状態）。
【図１３】同電線接続工具を用いて電線を接続する電線接続方法を示す説明図である。
【図１４】同じく、電線接続工具を用いて電線を接続する電線接続方法を示す説明図である。
【図１５】コネクタを示す斜視図である。
【図１６】電線が接続された状態のコネクタを示す斜視図である。
【発明を実施するための形態】
【００１１】
以下、本発明の実施形態に係る電線接続工具について図１乃至図１２を参照して説明する。本実施形態の電線接続工具は、例えば、複数（３本）の絶縁被覆電線をコネクタの端子に手動で圧接して接続するものである。
【００１２】
図１は電線接続工具の斜視図を示し、図２は電線接続工具のヘッド部の斜視図を示し、図３は電線接続工具のヘッド部の分解斜視図を示している。また、図４乃至図８は電線接続工具のヘッド部における構成部品を示しており、図４及び図５は電線位置設定部材、図６はパンチ部材、図７はクリンパ部材、図８は電線ガイド部材を示している。さらに、図９はパンチ部材、電線ガイド部材及びクリンパ部材が組み合わされた状態を示す正面図であり、図１０乃至図１２は電線接続工具の動作を示す側面図及び上面図である。なお、各図において、同一又は相当部分には、同一符号を付し重複する説明を省略する。
【００１３】
図１乃至図３及び図１０に示すように電線接続工具１は、本体部２と、押圧部３とを備えている。また、本体部２は、固定ハンドル４及び可動ハンドル５とから構成される手動で操作できる操作ハンドルと、ラチェット機構６と、コネクタ配置部７と、電線位置設定部８とを備えている。
【００１４】
固定ハンドル４は、先端側に幅広部４１を有して後端側に延出するように形成されており、床面等に載置可能となっている。可動ハンドル５は、固定ハンドル４に枢着軸５１によって回動可能に連結されていて、さらに、ばねにより開く方向に弾性力が付与されている。また、可動ハンドル５は、リンク５２（図１０参照）を介して押圧部３と連結されており、可動ハンドル５の開閉動作に応じて、押圧部３は進退動作するようになっている。
【００１５】
ラチェット機構６は、ラチェットロッド６１、ラチェットハウジング６２を備え、ラチェット歯６３及びこのラチェット歯６３に係合する図示しないラチェット爪を有して構成されている。ラチェットロッド６１の一端側が可動ハンドル５に回動可能に軸支され、ラチェットハウジング６２の他端側が固定ハンドル４に回動可能に軸支されている。ラチェット機構６は、操作ハンドルを握って可動ハンドル５を閉じる方向に操作したときに、途中で操作を止めても可動ハンドル５が元の位置に戻らないように制御する。
【００１６】
固定ハンドル４の先端側には取付部材としてベースブロック９が設けられており、このベースブロック９にコネクタ配置部７が形成され、また、電線位置設定部８が取付けられている。
【００１７】
図２及び図３に示すようにコネクタ配置部７は、図示上、ベースブロック９の上面側に形成され、正面側（電線の導入口側in）が開放する略直方体形状の凹部状に形成されている。具体的には、ベースブロック９の平坦状の上面に略コ字状をなす板材７ａを取付けて形成される。このコネクタ配置部７には、後述する略直方体形状の薄型のコネクタが位置決めされて配置される。
【００１８】
図４及び図５を併せて参照して示すように電線位置設定部８は、ワイヤーポジショナーであり、電線位置設定部材によって構成されている。電線位置設定部８は、電線の導入口となる部分であり、電線を配置する際に、電線の位置を設定し保持する機能を有している。電線位置設定部８は、略長方形状をなしていて複数、具体的には３つのスリット８１が形成されており、図示上、ベースブロック９の正面側に取付けられている。このスリット８１は、コネクタ配置部７の開放する部分に対向するように位置される。
【００１９】
図５に示すようにスリット８１は幅寸法が複数段に変化するように形成されており、詳しくは、幅寸法が３段階（ａ、ｂ、ｃ）に変化するように、スリットの底部側から開放側へ向かって幅寸法が大きくなるように形成されている。これによって、線径の異なる電線に対応して、電線の位置を設定し保持することができる。例えば、線径の細い電線は、幅寸法ｃの部分で保持され、線径の太い電線は、幅寸法ａの部分で保持されるようになる。
【００２０】
次に、押圧部３は、カバー状のラム３１と、このラム３１の収納部３１ａに配設されたパンチ部材３２、クリンパ部材３３及び電線ガイド部材３４とを備えている。なお、押圧部３と、コネクタ配置部７及び電線位置設定部８とで電線を圧接して接続するための主要な構成要素としてのヘッド部が構成されている。
【００２１】
ラム３１の先端側には収納部３１ａが設けられており、後端側は固定ハンドル４の幅広部４１内に収容されて既述のリンク５２が接続されている。また、ラム３１の側壁には長孔状のガイド孔３１ｂが形成されていて、このガイド孔３１ｂには、固定ハンドル４に設けられるガイドピン３１ｃが挿入されている。したがって、可動ハンドル５の開閉動作に応じて、ラム３１はガイド孔３１ｂがガイドピン３１ｃに案内されることにより進退動作するようになる。すなわち、押圧部３はコネクタ配置部７に対して進退動作する。
【００２２】
ラム３１の収納部３１ａには、略Ｌ字状に形成されたラムブロック３５が固定されて配設され、このラムブロック３５にスペーサ３６を介して電線ガイド部材３４、パンチ部材３２及びクリンパ部材３３が順次積重ねられるようにして、ねじ部材３７によって結合されて配設されている。
【００２３】
図６を併せて参照して示すようにパンチ部材３２は、パンチ部を構成する部材であり、電線をコネクタの端子に圧接して接続する機能を有する圧接パンチ部材である。パンチ部材３２は、略直方体形状をなしていて、進出方向に突出する圧接歯３２ａを有し、裏面側に凹部３２ｂが形成されている。具体的には、圧接歯３２ａは複数本（３本）形成されており、加えて進出方向と直交する方向には３つの凸部３２ａ１が形成されている。また、パンチ部材３２の背面側から凹部３２ｂに亘ってばね部材の挿入孔３２ｃが形成されている。
【００２４】
図７を併せて参照して示すようにクリンパ部材３３は、クリンパ部を構成する部材であり、コネクタの端子を押圧して電線を保持する機能を有するものである。クリンパ部材３３は、略長方形状に形成された板状の部材であり、進出方向に突出する複数本（３本）の押圧歯３３ａを有し、パンチ部材３２の圧接歯３２ａと重なる位置に配置されている（図９参照）。また、押圧歯３３ａの先端は円弧状の凹みとなっている。
【００２５】
図８を併せて参照して示すように電線ガイド部材３４は、電線ガイド部を構成する部材であり、コネクタの端子に接続される電線の位置決めを行う機能を有するものである。電線ガイド部材３４は、略Ｌ字状をなしていて、一端側に電線を案内する案内部３４ａ及び電線の案内を停止させるストッパ部３４ｂが形成されており、他端側に弾性体としてのばね部材を受けるばね受け部３４ｃが形成されている。また、一端側と他端側の間には、他端側に開放するスリット３４ｄが形成されている。
【００２６】
案内部３４ａは、進出方向と直交する方向に突出する複数の突出壁３４ａ１が形成され、この突出壁３４ａ１間に複数の案内溝３４ａ２が形成されて構成されている。案内溝３４ａ２は電線の導入をガイドする機能を有する。
【００２７】
ストッパ部３４ｂは、案内溝３４ａ２の底部に形成されたストッパ壁であり、案内部３４ａを通じて導入される電線の先端部が当接されて電線の案内を停止させる機能を有する。
次に、主として図９及び図１０を参照して電線ガイド部材３４、パンチ部材３２及びクリンパ部材３３の組立状態について説明する。
【００２８】
電線ガイド部材３４、パンチ部材３２及びクリンパ部材３３は、ねじ部材３７によってラムブロック３５に結合される。また、ラムブロック３５と電線ガイド部材３４のばね受け部３４ｃとの間には、弾性体としてばね部材３８が介在されている。具体的には、ばね部材３８は、パンチ部材３２の挿入孔３２ｃに挿入されて、ラムブロック３５とばね受け部３４ｃとの間に配設されている。そして、電線ガイド部材３４のスリット３４ｄがねじ部材３７にガイドされるようになっている。したがって、電線ガイド部材３４は、ばね部材３８によって押圧部３の進退方向に突没可能に弾性力が付与されて付勢されている。
【００２９】
さらに、案内部３４ａにおける案内溝３４ａ２の幅寸法Ｗは、パンチ部材３２の圧接歯３２ａの幅寸法Ｗ１より僅かに大きく、Ｗ＞Ｗ１の関係となっていて、パンチ部材３２の圧接歯３２ａが案内部３４ａの案内溝３４ａ２を通過して進出できるようになっている。
【００３０】
また、案内部３４ａにおける案内溝３４ａ２と電線位置設定部８のスリット８１とは、押圧部３が進出方向に移動したときに、相互の位置が一致するように配置されている。
【００３１】
さらにまた、案内部３４ａが形成される電線ガイド部材３４の幅寸法Ｗとコネクタ配置部７の幅寸法Ｗ１との関係は、電線ガイド部材３４の幅寸法Ｗがコネクタ配置部７の幅寸法Ｗ１より大きい関係となっている。つまり、Ｗ＞Ｗ１の関係となっている（図３参照）。
加えて、クリンパ部材３３の押圧歯３３ａとパンチ部材３２の圧接歯３２ａとは、進出方向と直交する方向において、重なる位置に配置されている。
なお、ラムブロック３５上には、クリンパ部材３３の上面を押える保持プレート３９が設けられている。
【００３２】
以上のような構成の電線接続工具１の基本的な動作について図１０乃至図１２を参照して説明する。図１０は初期状態を示し、図１１は操作ハンドルを途中まで操作した状態を示し、図１２は操作ハンドルを最後まで操作した終期状態を示している。なお、図１０乃至図１２において、動作の説明上、押圧部３の一部を切欠いて示している。
【００３３】
図１０に示す初期状態から図１１に示すように、可動ハンドル５を途中まで閉じるように操作すると、押圧部３が進出（押圧）方向へ所定の距離を移動動作するとともに、可動ハンドル５はラチェット機構６により元の位置に戻らないように保持される。この状態では、電線ガイド部材３４の先端部（案内部３４ａ）がコネクタ配置部７の周囲の壁に接触する。一方、案内部３４ａにおける案内溝３４ａ２は、電線位置設定部８のスリット８１と重なるような位置関係となる。この状態は、後述するように電線を位置決めする状態である。
【００３４】
続いて、図１２に示すように可動ハンドル５を最後まで閉じるように終期状態まで操作すると、さらに押圧部３が進出（押圧）方向に移動動作する。電線ガイド部材３４は、ばね部材３８によって付勢されているので、コネクタ配置部７の周囲の壁に当接して没入移動する。一方、パンチ部材３２の圧接歯３２ａは、電線ガイド部材３４の案内溝３４ａ２を通過してコネクタ配置部７へ進出移動する。これと同時にクリンパ部材３３の押圧歯３３ａもコネクタ配置部７へ進出移動する。
【００３５】
次に、図１３乃至図１６を参照して電線接続工具１を用いて電線を接続する電線接続方法について説明する。具体的には、コネクタの端子に絶縁被覆電線を圧接して接続する方法である。なお、必要に応じ前述の図６乃至図８及び図１０乃至図１２等を参照する。
【００３６】
図１５に示すように、コネクタ１０は、略直方体形状の薄型であり、ハウジング１１を備え、複数（３つ）の接続区画１２を有している。各接続区画１２は、隔壁１３によって仕切られており、ハウジング１１の一端側にはコンタクトが挿通される開口１４が形成されている。
【００３７】
また、各接続区画１２には圧接端子１５が装着されている。圧接端子１５は、底壁の中間部に形成された一対のＵコンタクト１６と、底壁の他端側に形成された電線保持爪１７とから構成されている。Ｕコンタクト１６は、所定の間隙が空けられて対設された一対の刃を有し、絶縁被覆電線が上方から押し込まれたとき、これらの刃が絶縁被覆電線の被覆を突き破り、芯線に接触することにより電気的な導通がなされるものである。このような複数の圧接端子１５を有するコネクタ１０に複数（３本）の電線を同時に圧接して接続する。
【００３８】
まず、図１３（ａ）に示す初期状態において、図１３（ｂ）に示すようにコネクタ１０をコネクタ配置部７に配置し位置決めする（コネクタセット工程）。次いで、可動ハンドル５をゆっくり閉じるように握って操作し、電線ガイド部材３４の先端部がコネクタ１０の表面に当接する程度の位置で握る操作を解く。この場合、図１３（ｃ）に示すように可動ハンドル５の位置はラチェット機構６により元の位置に戻らないように保持されるとともに、押圧部３、具体的には電線ガイド部材３４、パンチ部材３２及びクリンパ部材３３の進出位置も保持される。したがって、コネクタ１０は電線ガイド部材３４によって仮保持されるようになる。また、電線位置設定部８のスリット８１と電線ガイド部材３４における案内部３４ａの案内溝３４ａ２とは重なるような位置関係になり、電線の導入口として機能するようになる。
続いて、図１４（ａ）及び（ｂ）に示すように、電線２０の導入口から電線２０を
【００３９】
１本ずつ挿入して位置決めする。詳しくは電線２０を、電線位置設定部８のスリット８１を通じて、電線ガイド部材３４における案内部３４ａの案内溝３４ａ２をガイドとして挿入する。また、この場合、電線２０の先端部は、電線ガイド部材３４のストッパ部３４ｂに当接されて電線２０の挿入案内が停止される。したがって、電線２０は、案内部３４ａによって横方向の位置ずれが抑制され、ストッパ部３４ｂによって線軸方向の位置決めがなされ、コネクタ１０の圧接端子１５との位置決めが適切に行われる（電線位置決め工程）。
【００４０】
次いで、図１４（ｃ）に示すように、電線２０を手で支えながら可動ハンドル５をラチェット機構６が開放される最後まで閉じるように握って操作し、電線２０を圧接してコネクタ１０の圧接端子１５に接続する。具体的には、パンチ部材３２の圧接歯３２ａは、電線２０を押圧して一対のＵコンタクト１６に押し込み、クリンパ部材３３の押圧歯３３ａは、電線保持爪１７を内側にかしめて電線２０をコネクタ１０に保持する。したがって、圧接歯３２ａによって押し込まれた電線２０は、Ｕコンタクト１６の刃によって被覆が突き破られ、芯線に接触して電気的な導通がなされる（電線接続（圧接）工程）。
【００４１】
この場合、電線ガイド部材３４は、ばね部材３８によって付勢されているので、圧接下死点（圧接終点）においてコネクタ１０を押し潰して損傷させてしまうことを回避できる。また、パンチ部材３２の圧接歯３２ａは、電線ガイド部材３４の案内溝３４ａ２を通過して位置決めされた電線２０側へ進出移動するが、圧接歯３２ａは、案内溝３４ａ２に挟まれた状態で移動するので、案内溝３４ａ２に挿入された電線２０は、確実にコネクタ１０の圧接端子１５に接続されるようになる。
【００４２】
図１４（ｄ）に示すように、ラチェット機構６が開放されると、可動ハンドル５がばねによって開き初期状態となるので、電線２０が圧接されたコネクタ１０をコネクタ配置部７から取り出し、接続作業を終了する。なお、図１６は電線２０の接続が完了したコネクタ１０を示している。
【００４３】
以上のように本実施形態によれば、コネクタ１０の端子１５に電線２０を接続する場合、電線２０の位置決め及び接続が容易で信頼性を向上することができる電線接続工具１及び電線接続方法を提供することが可能となる。また、複数の電線２０を同時に接続することができる。
【００４４】
なお、上記実施形態においては、電線を圧接して接続する場合について説明したが、電線を圧着して接続する場合であってもよい。つまり、コネクタに採用される端子としては、電線の被覆がストリップされ電線の芯線を圧着する圧着端子であってもよい。
また、電線接続工具は、手動式のものに限らない。卓上型の電動式のものであってもよく、方式が格別限定されるものではない。
【００４５】
本発明は、上記実施形態の構成に限定されることなく、発明の要旨を逸脱しない範囲で種々の変形が可能である。また、上記実施形態は、一例として提示したものであり、発明の範囲を限定することは意図していない。これら新規な実施形態は、その他の様々な形態で実施されることが可能であり、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００４６】
１・・・・電線接続工具
２・・・・本体部
３・・・・押圧部
４・・・・固定ハンドル
５・・・・可動ハンドル
６・・・・ラチェット機構
７・・・・コネクタ配置部
８・・・・電線位置設定部
１０・・・コネクタ
２０・・・電線
３１・・・ラム
３２・・・パンチ部材
３３・・・クリンパ部材
３４・・・電線ガイド部材
３４ａ・・案内部
３４ｂ・・ストッパ部
【図１】
2020042937.tif 000003
【図２】
2020042937.tif 000004
【図３】
2020042937.tif 000005
【図４】
2020042937.tif 000006
【図５】
2020042937.tif 000007
【図６】
2020042937.tif 000008
【図７】
2020042937.tif 000009
【図８】
2020042937.tif 000010
【図９】
2020042937.tif 000011
【図１０】
2020042937.tif 000012
【図１１】
2020042937.tif 000013
【図１２】
2020042937.tif 000014
【図１３】
2020042937.tif 000015
【図１４】
2020042937.tif 000016
【図１５】
2020042937.tif 000017
【図１６】
2020042937.tif 000018